(57)【要約】【課題】電話機の受話器による通話聴取で、通話音聴取を効率よく行い、騒音の影響を極力避け、秘話性を高め、軽度難聴者の通話聴取にも寄与する。【解決手段】上記課題を解決するため、本発明では健常聴力者から、軽度難聴者に通話聴取を効率よく行える様に、出力音孔を施工した概略半球形状で、中空構造のケースによる耳当て部を施工した受話器を、電話機の受話器部に施工し、受話器部と外耳道とを密閉状態での装用を可能とし、外耳道に入力される通話音の漏洩を避ける目的で、この耳当て部の材質は、薄い硬質部材を使用し、効率の良い通話音の導音を図った。  更に電話機の受話器部で、受話器の保持と保持解除と可動の各機構の施工で、受話器に施工された耳当て部の出し入れの変更を容易な操作で可能とし、従来通りの電話機の受話器部と外耳道が間隙のある装用形態と、耳当て部の使用で、受話器と外耳道間で密閉装用の形態と、使用環境により電話機の使用形態の変更を容易な操作で可能とすることで解決を図った。【選択図】図２
2008136152.tif 000002
【特許請求の範囲】
【請求項１】
電話機の受話器部で、受話器の音声出力端に、出力音孔を施工した概略半球形状で中空構造のケースを、耳当て部として施工した受話器の耳当て部に、押圧を加えると受話器が可動し、この耳当て部を電話機の受話器部内に格納状態として通話聴取ができたり、逆にこの耳当て部を受話器部の外側へ突き出た状態で通話聴取をする目的で、この受話器を押す操作用の押しボタンと、受話器に押圧を加える押圧バネを施工し、この受話器に施工された耳当て部を突き出た状態に可動するなどして、通話聴取形態を変更できる機構を備えたことを特徴とする、電話機の受話器部。
【請求項２】
受話器の音声出力端に、出力音孔を施工した概略半球形状で中空構造のケースを、耳当て部として施工した受話器を施工できる、部品施工部を持つ部品保持器で、弾性のある部材を概略カタカナのコの字形の三辺となる形状に成形し、この三辺形状の両端末に、可動する部品施工部の保持と固定作用を目的とした折り曲げ加工をし、三辺形状で形作られる中間辺の二カ所の角部に、支点としての動作が可能な加工をし、この中間辺に半円形状のたわみを施工し、この辺の中央部に、ローマ字のＵ字形状のたわみ部を持たせ、前記二カ所の支点を部品保持器に施工し、三辺形状で相対する二辺の間に、部品施工部が挟まれる形状に施工し、この部品施工部の可動を目的とした押圧バネを、この部品施工部と前記たわみ部を持つ中間辺との間に施工し、この部品施工部を突き出す操作用の保持解除ボタンを、部品保持器の台座に施工した貫通孔から、前記たわみ部を持つ中間辺に接する施工をし、部品施工部の自動保持と自動保持解除と自動可動する機構を一体構成にしたことを特徴とする、電話機の受話器部に施工できる部品保持器。
【請求項３】
受話器の音声出力端に、出力音孔を施工した概略半球形状で中空構造のケースを、耳当て部として施工した受話器を、部品施工部に施工した部品保持器を施工した電話機の受話器部で、この部品保持器の特徴である自動保持機構と自動可動機構と自動保持解除機構の作動を、容易な操作で可能とし、受話器に施工された耳当て部を、突き出た状態にして通話聴取をしたり、耳当て部を格納した状態で通話聴取ができることを特徴とした、前記部品保持器を施工したことを特徴とする、請求項１と請求項２記載の電話機の受話器部。
【発明の詳細な説明】
【技術分野】
【０００１】  本発明は、受話器と電話機の受話器部の構成に関するものである。
【背景技術】
【０００２】  従来の電話機では、電話機の受話器部内に、受話器がほぼ固定状態で施工され、電話機の受話器部の表面、即ち音声出力端は、良好な音声出力を目的として、平坦又はやや窪んだ形状などとし、その表面には出力音孔が施工されている。
電話機の使用では、その電話機の受話器部の音声出力端を、使用者は外耳道開口部に向けて、耳介に添えて使用している。
通話時には、その音声出力端からの通話音声を外耳道で受けて、通話音声の聴取を行っている。
【発明の開示】
【発明が解決しようとする課題】
【０００３】  電話機の使用者は、外耳道開孔部を装用部位として、その電話機の受話器部の音声出力端からの通話音声を聴取しているが、この電話機の受話器部のやや平坦な形状の音声出力端と、使用者の外耳道開口部との間には、耳介の介在もあり必然的に間隙を生じるので、騒音の影響を排除し難く、騒音環境での通話音声の聴取に難を生じ、また間隙から通話音声の漏洩が有り、秘話性にも難がある。
軽度難聴者にとっても、難点のある通話聴取は、解決すべき課題でもある。
【課題を解決するための手段】
【０００４】  上記課題を解決するために、受話器の音声出力端に、出力音孔を施工した概略半球形状で中空構造のケースが、耳当て部として施工された受話器を、電話機の受話器部内に、保持と保持解除と可動の各機構などを、電話機の受話器部に施工した。
上記施工により、受話器に施工された耳当て部を、電話機の受話器部の外部へ、即ち、耳当て部を突き出た状態にしたり、その箇所から、この耳当て部を施工した受話器を受話器部の内部に可動し、この耳当て部を格納した状態にできる構成を施工し解決を図った。
【発明の効果】
【０００５】  本発明の、耳当て部を施工した受話器の、保持と保持解除と可動の各機構を施工した電話機の受話器部では、上記構成により静穏環境でも騒音環境でもその効果を発揮する。
即ち、電話機の使用時に、施工されている耳当て部を使用すれば、通話時に、通話音声の漏洩のない効率の良い通話聴取が可能で、静穏環境での秘話性も確保できる。更に、騒音環境での通話時に、騒音の影響を避けた通話音声の聴取ができる。
本発明の、耳当て部を使用することで、上記効果から、軽度難聴者の通話聴取にも効果がある。【０００６】  本発明の、耳当て部を施工した受話器と、保持と保持解除と可動の各機構を施工した電話機の受話器部は、使用環境の状況に応じて、受話器の保持と保持解除と可動の各機構、更に耳当て部等の相乗効果で、電話機の使用時に、使用者の外耳道と、電話機の受話器部で、密閉装用の状態と、間隙のある装用の状態と、通話音声の聴取形態を変更できる機能を有するので、通話音声の聴取に有意性のある効果を発揮する。
【発明を実施するための最良の形態】
【０００７】  本発明実施の形態は、使用する受話器の音声出力端に、出力音孔を施工した概略半球形状で中空構造のケースを、耳当て部として施工された受話器を使用し、この受話器の保持と保持解除と可動の各機構を、電話機の受話器部内に施工し、耳当て部を突き出した状態又は格納状態へ、簡便な操作により可能とする形態を実施したものである。
耳当て部は、プラスチックなどの硬質部材を使用し施工した。
以下に本発明実施の形態を、一実施例にもとづき図面を参照して説明する。
【実施例１】
【０００８】  図１は、本発明の一実施例で、１０受話器の保持状態の概略断面図である。
１０受話器に、１１出力音孔を施工した概略半球形状で中空構造のケースを、１耳当て部として施工した１０受話器が、電話機の８受話器部内に、格納状態で保持されている概略図である。
実施例の保持機構は、３ストッパーとして金属などの弾性部材を、概略カタカナのコの字形の三辺形状に加工し、３ストッパーの三辺形状の両端末に、４部品施工部の保持と固定作用を目的とした曲げ加工をし、この相対する二辺の間に、１０受話器を施工した４部品施工部を施工している。
三辺形状で形作られる３ストッパーの二カ所の角部は、支点とする目的で、丸棒形状の軸を挿入できる円筒形状に加工をし、この二カ所の支点が施工された一辺に半円形状のたわみを施工し、この辺の中央にローマ字のＵ字形状のたわみ部を施工する。
このローマ字のＵ字形状のたわみは、３ストッパーの三辺形状の端末の向きに施工し、３ストッパーの両支点の方向に押圧を与える施工で、５ａ軸と５ｂ軸に３ストッパーの支点箇所を挿入施工しているので、５ａ軸と５ｂ軸方向へ押圧を与える施工となる。
この施工により、３ストッパーの三辺形状の中間の辺と、５ａ軸と５ｂ軸との間の位置関係で、直線上に並ぶ状態の位置関係では、この中間の辺は固定されず、正方向かその反対方向に可動し固定状態となるので、その結果、３ストッパーの三辺形状の相対する二辺は、開状態か閉状態のいずれかの形態で固定されることになる。
更に、４部品施工部と３ストッパーの三辺形状の中間辺との間に、４部品施工部の可動部として６押圧バネを施工した。保持状態では、４部品施工部による６押圧バネへの圧縮圧に比例して、４部品施工部と施工されている１０受話器に対し、３スットッパーの曲げ加工部は固定する保持力が強くなる。
即ち、３ストッパーの相対する二辺は閉状態への押圧を受け、相対する二辺の端末に施工された折り曲げ部で、４部品施工部とそこに施工している１０受話器を保持状態とし、これに前記６押圧バネの効果もあり、電話機の８受話器部内で格納状態であることを示している。【０００９】  図２は、１２耳当て部が突き出た状態の概略断面図で、電話機の１９受話器部内での、２１受話器の保持状態を解除した直後の状態を示している。
１８保持解除ボタンを押す操作により、１４ストッパーのカタカナのコの字形の相対する二辺は開状態に可動し、その端末に施工されている折り曲げ部が、１５部品施工部の保持を解除し、１５部品施工部と、１４ストッパーの中間の一辺の間に施工されている１７押圧バネにより、押圧を受けた１５部品施工部は自動的に可動し、施工されている２１受話器も可動する。その結果、２１受話器に施工されている１２耳当て部が、電話機の１９受話器部の外側へ突き出て、１７押圧バネの押圧によりその位置で、保持状態となっている概略断面図である。
この突き出ている１２耳当て部の先端に押圧を加え、１９受話器部内に格納する操作をすると、１５部品施工部が１７押圧バネを圧縮し、この１７押圧バネの反対端に接している１４ストッパーにも押圧がかかり、この押圧で１４ストッパーの相対する二辺が、閉状態になる方向の押圧を１５部品施工部にかける状態となり、１５部品施工部が格納状態迄可動すると、自動的に１４ストッパーが閉状態になり、この端末の折り曲げ部により、１５部品施工部は保持状態となる。
この一連の格納状態への操作を、実施した直後の状態が、図１で示されている。【００１０】  図３は、保持と保持解除と可動の各機構を一体施工した部品保持器の一実施例である。
図３では、電話機の受話器部に施工できる部品保持器の、２４部品施工部が格納状態であることを示している。
部品保持器は、２４部品施工部の保持と保持解除と可動の各機構を、部品保持器の２５台座に一体施工をしたもので、電話機の受話器部に施工し易い形状とした。
２８保持解除ボタンは２９小バネと共に部品保持器の２５台座に施工され、２３ストッパーは２６ａ軸と２６ｂ軸を介し部品保持器の２５台座に固定されている。更に２７押圧バネを２３ストッパーと２４部品施工部の間に施工している。
２９小バネは、２８保持解除ボタンの遊び動作を防止する目的で、部品保持器の２５台座と２８保持解除ボタンの間の押圧により、遊び動作を防止している。【００１１】  図４は、部品保持器の一実施例の上面図で、受話器を施工する３２部品施工部の周囲を、部品保持器の３３台座の壁面が囲み、３２部品施工部の可動によるずれを防止できる構造とした。【００１２】  図５は、部品保持器を電話機の３９受話器部内に施工した概略図で、４１受話器を３６部品施工部に施工し格納状態とした部品保持器を、電話機の３９受話器部に施工した状態を示している。
３４受話器用緩衝材は、４１受話器の保護と通話用マイクロホンとの関係による、メカニカルフィードバックによる影響防止の目的で施工した。
４０緩衝材小は、４１受話器が突き出た状態への可動時の衝撃軽減と、格納状態での防塵の目的で施工した。【００１３】  図６は、間隙のある電話機の使用形態の略図で、従来の使用形態を示している。
４７電話機の受話器部と４４外耳道との関係が、間隙のある装用状態であることを示した略図で、４７電話機の受話器部に施工した、４８耳当て部を施工した受話器を、格納状態とした時の装用形態の略図で、４７電話機の受話器部内の４８耳当て部と４４外耳道との関係は、間隙のある装用形態で、４５耳介も介在する従来の電話機使用形態とほぼ同様となる。
通話音は、４８耳当て部に施工された４９出力音孔から出力される。【００１４】  図７は、５３電話機と使用者の５０外耳道で、密閉装用状態となる電話機使用の一実施例で、５２保持解除ボタンを押す操作をした直後の略図で、５３電話機の受話器部の５４耳当て部と５０外耳道との関係が、密閉装用状態であることを示した概略図で、５３電話機の受話器部に施工した５４耳当て部が、５３電話機の受話器部の外部へ突き出た状態での、５３電話機の装用形態を示す概略図で、５０外耳道と５４耳当て部は、有意性のある密閉装用の形態を示している。
通話音は、５４耳当て部に施工された５５出力音孔から出力される。【００１５】  図８は、セパレート形式の電話機で、６０耳当て部を格納状態へ移行する時の略図で、５９送話器側で５７受話器側の６０耳当て部に押圧を加え、６０耳当て部を格納状態にする操作を示した略図である。
６０耳当て部を施工した受話器と、保持と保持解除と可動の各機構を施工した５７受話器側では、６０耳当て部を手の指などで押圧を加え、６０耳当て部を５７受話器側の受話器部に格納状態とすることもできる。
【産業上の利用可能性】
【００１６】  本発明の、耳当て部を施工した受話器と、保持と保持解除と可動の各機構を一体施工した電話機の受話器部は、電話機使用での基本機能である、通話聴取に多大な効果がある。
即ち、耳当て部が最大のポイントで、この耳当て部を、電話機使用者の外耳道に密閉装用とすることで、通話音の漏洩を避けた効率の良い通話聴取ができ、通話の秘話性を確保し、更に、騒音環境での使用で騒音の混入を避けられるので、明瞭な通話聴取が確保できる効果がある。
静穏環境でも、通話の漏洩が避けられる秘話性の確保は、必要性が高い機能である。【００１７】  本発明の耳当て部の装用効果は、通話音の漏洩が避けられる点から、健常聴力者から、シニア世代に多いとされる軽度難聴者に、快適な通話聴取を提供できるので、電話機利用層の拡大に寄与する可能性が高い。【００１８】  本発明の受話器部の効果として、電話機の使用形態で、従来通り電話機の受話器部と外耳道の関係で、間隙のある電話機の使用形態と、外耳道と耳当て部で密閉装用ができる電話機の使用形態と、二通りに電話機の使用形態が切り替えできる、有意性のある電話機として利用価値が高い。
この切り替え操作は、指などで保持解除ボタンを押すだけの簡単操作で、耳当て部が突出する、所謂ポップアップ機能であり、電話機の使用中などでは有用な機能である。【００１９】  本発明に施工する受話器を、骨伝導受話器と気道受話器の複合動作をする受話器をすれば、耳当て部が、外耳道開孔端に骨伝導振動の伝導作用をするので、健聴者は元より、軽度難聴者、更に伝音系難聴者への電話機利用促進ができる可能性が高い。【００２０】  本発明の、保持と保持解除と可動の各機構を一体施工した部品保持器は、有効な機能を有する点と、電話機の受話器部への施工行程で、生産性向上に寄与できる可能性が高い。
【図面の簡単な説明】
【００２１】
【図１】受話器の保持状態の概略断面図。
【図２】耳当て部が突き出た状態の概略断面図
【図３】部品保持器の一実施例。
【図４】部品保持器の一実施例の上面図。
【図５】部品保持器を電話機の受話器部に施工した概略図
【図６】間隙のある電話機の使用形態の略図。
【図７】密閉装用状態となる電話機使用の一実施例。
【図８】耳当て部を格納状態へ移行する時の略図。
【符号の説明】
【００２２】１、１２、４３、４８、５４、６０  耳当て部
２、１３、３４  受話器用緩衝材
３、１４、２３、３０、３５  ストッパー
４、１５、２４、３２、３６  部品施工部
５ａ、５ｂ、１６ａ、１６ｂ、２６ａ、２６ｂ、３１ａ、３１ｂ  軸
６、１７、２７  押圧バネ
７、１８、２８、３７、４６、５２、５６  保持解除ボタン
８、１９、３９  受話器部
９、２０、４０  緩衝材小
１０、２１、４１  受話器
１１、２２、４２、４９、５５  出力音孔
２５、３３、３８  台座
２９  小バネ
４４、５０  外耳道
４５、５１  耳介
４７、５３  電話機
５７  受話器側
５８  支点
５９  送話器側
【図１】
2008136152.tif 000003
【図２】
2008136152.tif 000004
【図３】
2008136152.tif 000005
【図４】
2008136152.tif 000006
【図５】
2008136152.tif 000007
【図６】
2008136152.tif 000008
【図７】
2008136152.tif 000009
【図８】
2008136152.tif 000010